(57)【要約】      （修正有）【課題】強制戻し部材を部品点数の増加無しにして、且つ、カム装置の幅を拡幅せずに、コンパクトにしたカム装置を提供する。【解決手段】強制戻し部材３ｃと強制戻し係合部２ｂとが、カムドライバ２とカムスライダ３との上下方向における間で、且つ、カム装置１の左右方向の幅内に納められて、カムドライバとカムスライダとの内の一方側に強制戻し部材である強制戻し用傾斜面３ｄを有する棒状角部が設けられるとともに、他方側に強制戻し用傾斜面に平行に当接する傾斜面である強制戻し係合部が設けられているカム装置とする。【選択図】図１
2009183990.tif 000002
【特許請求の範囲】
【請求項１】
移動金型に固定されそれよって上下往復移動されるとともにカム用の傾斜面を有するカムドライバと、該カムドライバの傾斜面に当接する傾斜面を有して加工方向にスライドされ加工工具を取り付ける工具取付面を有するカムスライダと、該カムスライダのスライドを支持するとともに元の位置に復帰させる復帰手段を有して固定金型に固定されるカムベースとでなり、前記カムドライバと前記カムスライダとには、当該カムドライバの上昇時に前記カムスライダを強制的に戻すための強制戻し部材とこれに係合する強制戻し係合部とが設けられて成る所望幅のカム装置において、
前記強制戻し部材と前記強制戻し係合部とが、前記カムドライバと前記カムスライダとの上下方向における間で、且つ、カム装置の左右方向の幅内に納められて、
前記カムドライバと前記カムスライダとの内の一方側に強制戻し部材である強制戻し用傾斜面を有する棒状角部が設けられるとともに、他方側に前記強制戻し用傾斜面に平行に当接する傾斜面である強制戻し係合部が設けられていること、
を特徴とするカム装置。
【請求項２】
移動金型に固定されそれよって上下往復移動されるとともにカム用の傾斜面を有するカムドライバと、該カムドライバの傾斜面に当接する傾斜面を有して加工方向にスライドされ加工工具を取り付ける工具取付面を有するカムスライダと、該カムスライダのスライドを支持するとともに元の位置に復帰させる復帰手段を有して固定金型に固定されるカムベースとでなり、前記カムドライバと前記カムスライダとには、当該カムドライバの上昇時に前記カムスライダを強制的に戻すための強制戻し部材とこれに係合する強制戻し係合部とが設けられて成る所望幅のカム装置において、
前記強制戻し部材は、前記カムスライダの前記傾斜面の裏面に該傾斜面に平行する戻し傾斜面が形成されるとともに、下死点に位置した前記カムドライバの金型固定用基部に前記戻し傾斜面が食い込む長さに突出させ角状に形成されてなり、
前記強制戻し係合部は、前記カムドライバにおける平坦な金型固定用基部の中央部に設けられた開口部でその開口部を形成する一つの壁面が、前記戻し傾斜面に下死点の位置で係合する平行な係合傾斜面として形成されていること、
を特徴とするカム装置。
【発明の詳細な説明】
【技術分野】
【０００１】
本発明は、例えば、自動車のパネル等の加工に使用されるカム装置における、カムスライダの強制戻し機構に関するものである。
【背景技術】
【０００２】
従来、カム装置におけるカムスライダ用の強制戻し機構は、例えば、特許文献１に示すようなものが知られている。これを、同様な構成のカム装置２０を示す図４乃至図６を参照して説明すると、移動金型２１に固定されそれよって上下往復移動されるとともにカム用の傾斜面２２ａを有するカムドライバ２２と、該カムドライバ２２の傾斜面２２ａに当接する傾斜面２３ａを有して加工方向にスライドされ加工工具を取り付ける工具取付面２３ｂを有するカムスライダ２３と、該カムスライダ２３のスライドを支持するとともに元の位置に復帰させる復帰手段２４ａを有して固定金型２５に固定されるカムベース２４とでなり、前記カムドライバ２２と前記カムスライダ２３とには、当該カムドライバ２２の上昇時に前記カムスライダ２３を強制的に元の位置に戻すための強制戻し部材２６とこれに係合する強制戻し係合部２２ｂとが設けられて成るものである。
【特許文献１】特開２００５−４６８９０号公報
【０００３】
前記強制戻し機構は、互いの傾斜面２２ｃ，２６ｂのカム作用により、図６に示すように、前記カムドライバ２２が下死点から上昇すると、傾斜面２２ｃも同時に上昇して、これに摺接する傾斜面２６ｂが後方向に移動せしめられ、この強制戻し部材２６と一体にされたカムスライダ２３が復帰手段２４ａの付勢力により元の位置に戻されるものである。
【発明の開示】
【発明が解決しようとする課題】
【０００４】
しかし、従来の強制戻し構造は、例えば、前記強制戻し係合部は、昇降するカムドライバ２２の側壁に設けられるのが通常であり、前記強制戻し部材は、前記カムスライド２３の側壁にボルト２７で固定されており、カム装置の幅が増えると共に部品点数も増加してコストが嵩むものである。本発明に係るカム装置は、このような課題を解決するために提案されたも
ので  ある。
【課題を解決するための手段】
【０００５】
本発明に係るカム装置の上記課題を解決して目的を達成するための要旨は、移動金型に固定されそれよって上下往復移動されるとともにカム用の傾斜面を有するカムドライバと、該カムドライバの傾斜面に当接する傾斜面を有して加工方向にスライドされ加工工具を取り付ける工具取付面を有するカムスライダと、該カムスライダのスライドを支持するとともに元の位置に復帰させる復帰手段を有して固定金型に固定されるカムベースとでなり、前記カムドライバと前記カムスライダとには、当該カムドライバの上昇時に前記カムスライダを強制的に戻すための強制戻し部材とこれに係合する強制戻し係合部とが設けられて成る所望幅のカム装置において、前記強制戻し部材と前記強制戻し係合部とが、前記カムドライバと前記カムスライダとの上下方向における間で、且つ、カム装置の左右方向の幅内に納められて、前記カムドライバと前記カムスライダとの内の一方側に強制戻し部材である強制戻し用傾斜面を有する棒状角部が設けられるとともに、他方側に前記強制戻し用傾斜面に平行に当接する傾斜面である強制戻し係合部が設けられていることである。
【０００６】
本発明に係るカム装置の上記課題を解決して目的を達成するための要旨は、移動金型に固定されそれよって上下往復移動されるとともにカム用の傾斜面を有するカムドライバと、該カムドライバの傾斜面に当接する傾斜面を有して加工方向にスライドされ加工工具を取り付ける工具取付面を有するカムスライダと、該カムスライダのスライドを支持するとともに元の位置に復帰させる復帰手段を有して固定金型に固定されるカムベースとでなり、前記カムドライバと前記カムスライダとには、当該カムドライバの上昇時に前記カムスライダを強制的に戻すための強制戻し部材とこれに係合する強制戻し係合部とが設けられて成る所望幅のカム装置において、
前記強制戻し部材は、前記カムスライダの前記傾斜面の裏面に該傾斜面に平行する戻し傾斜面が形成されるとともに、下死点に位置した前記カムドライバの金型固定用基部に前記戻し傾斜面が食い込む長さに突出させて形成されてなり、
前記強制戻し係合部は、前記カムドライバにおける平坦な金型固定用基部の中央部に設けられた開口部でその開口部を形成する一つの壁面が、前記戻し傾斜面に下死点の位置で係合する平行な係合傾斜面として形成されていることである。
【発明の効果】
【０００７】
本発明のカム装置によれば、カム装置の横幅を拡幅することなく、幅方向の中央部に置いて、強制戻し構造を設けることが出来るようになる。また、部品点数も増加することなく、コストが嵩むことがない。
【発明を実施するための最良の形態】
【０００８】
本発明に係るカム装置１は、移動金型に固定されそれよって上下往復移動されるとともにカム用の傾斜面を有するカムドライバと、該カムドライバの傾斜面に当接する傾斜面を有して加工方向にスライドされ加工工具を取り付ける工具取付面を有するカムスライダと、該カムスライダのスライドを支持するとともに元の位置に復帰させる復帰手段を有して固定金型に固定されるカムベースとでなり、前記カムドライバと前記カムスライダとには、当該カムドライバの上昇時に前記カムスライダを強制的に戻すための強制戻し部材とこれに係合する強制戻し係合部とが設けられて成る所望幅のカム装置１において、前記強制戻し部材と前記強制戻し係合部とが、前記カムドライバと前記カムスライダとの上下方向における間で、且つ、カム装置の左右方向の幅内に納められて、前記カムドライバと前記カムスライダとの内の一方側に強制戻し部材である強制戻し用傾斜面を有する棒状角部が設けられるとともに、他方側に前記強制戻し用傾斜面に平行に当接する傾斜面である強制戻し係合部が設けられているのである。
【０００９】
具体的に図を参照して説明すると、カム装置１は、図１乃至図２に示すように、移動金型２１に固定されそれよって上下往復移動されるとともにカム用の傾斜面２ａを有するカムドライバ２と、該カムドライバ２の傾斜面２ａに当接する傾斜面３ａを有して加工方向（前方向）にスライドされ加工工具４を取り付ける工具取付面３ｂを有するカムスライダ３と、該カムスライダ３のスライドを支持するとともに元の位置に復帰させる復帰手段５（例えば、コイルスプリング）を有して固定金型２５に固定されるカムベース６とでなる。前記加工工具４を囲繞するものは弾性カバー４ａであり、工具用リテーナ４ｂを介して取り付けられる。
【００１０】
そして、前記カムドライバ２と前記カムスライダ３とには、当該カムドライバ２の上昇時に前記カムスライダ３を強制的に元の位置に戻すための強制戻し部材３ｃとこれに係合する強制戻し係合部２ｂとが設けられている。この強制戻し部材３ｃと、強制戻し係合部２ｂとで、強制戻し構造が構成されている。
【００１１】
更に、前記強制戻し部材３ｃは、図示するように、傾斜面３ａを上部に延ばし、この傾斜面３ａの裏面に該傾斜面３ａに平行する戻し傾斜面３ｄが形成されるように、横断面形状を矩形状にして斜めに角状に突設されている。
【００１２】
更に、下死点に位置した前記カムドライバ２の金型固定用基部２ｄに前記戻し傾斜面３ｄが食い込む長さに突出させて形成されている。なお、当該強制戻し部材３ｃの上端面が、移動金型２１の下面に衝突しないように設定するのは勿論のことである。
【００１３】
前記強制戻し係合部２ｂは、図１乃至図２に示すように、前記カムドライバ２における平坦な金型固定用基部２ｄの中央部に設けられた開口部２ｃで、その開口部２ｃを形成する一つの壁面が、前記戻し傾斜面３ｄに下死点の位置で近接して係合する平行な係合傾斜面として形成されている。
【００１４】
図３に示すように、前記カムドライバ２が上死点の位置から下死点の位置に下降すると、前記カム作用する傾斜面２ａ，３ａの作用により、復帰手段５の付勢力に抗してカムスライダ３が前方向にスライド移動する。そして、角状の強制戻し部材３ｃが金型固定用基部２ｄの開口部２ｃ内に侵入し、戻し傾斜面３ｄと強制戻し係合部２ｂとが接近する。
【００１５】
次に、前記カムドライバ２が下死点位置から上昇すると、前記金型固定用基部２ｄが一体となって上昇し、前記開口部２ｃの強制戻し係合部２ｂが上方向へ上昇して、カムスライダ３の戻し傾斜面３ｄに当接し、そのカム作用により、当該カムスライダ３を強制的に後方に移動させる。
【００１６】
前記強制戻し作用により、前記加工工具４の先端部が、孔等を開けた被加工物（例えば、金属製パネル等）から引き抜かれる。この引き抜き作用においては、前記復帰手段５の付勢力では十分ではなく不確実である。この後、カムスライダ３は、前記カムドライバ２の上昇に伴って、前記復帰手段５の付勢力に押されて後方にスライドし、元の位置に復帰する。
【００１７】
このように、強制戻し構造として、その機能・作用と効果は従来例と同様であっても、図２に示すように、カム装置１の幅内に置いてカム傾斜面の一部を延設することで、部品点数を増やすことなく構成することができ、カムドライバ２においても、その基部２ｄに開口部２ｃを設ける際に、傾斜面である強制戻し係合部２ｂを形成するだけで済むので、カム装置１の幅を特別に広くする必要もない。また、強制戻し部材などをボルトでカムスライダ３等に固定して取り付ける作業も不要となる。
【００１８】
本発明に係るカム装置の他の実施例として、角状の強制戻し部材をカムドライバ２側に設けて、開口部とその開口部を形成する傾斜面の強制戻し係合部をカムスライダ３側に設けるようにしてもよい。上記実施例の逆の構造にするものである。このようにしても、上下移動するカムドライバに対するカムスライダ３のカム作用は同じなので、前記実施例と同様の作用効果を得ることができる。
【図面の簡単な説明】
【００１９】
【図１】本発明に係るカム装置１の、上死点位置における側面図である。
【図２】同本発明のカム装置１の平面図である。
【図３】同本発明に係るカム装置の下死点位置における側面図である。
【図４】従来例に係るカム装置２０の、上死点位置における側面図である。
【図５】同従来例に係るカム装置２０の平面図である。
【図６】同従来例に係るカム装置２０の、下死点位置における側面図である。
【図７】強制戻し部材２６の正面図（Ａ）と、底面図（Ｂ）とである。
【符号の説明】
【００２０】
１          カム装置、
２          カムドライバ、                      ２ａ        傾斜面、
２ｂ        強制戻し係合部、                    ２ｃ        開口部、
２ｄ        金型固定用基部、
３          カムスライダ、                      ３ａ        傾斜面、
３ｂ        工具取付面、                        ３ｃ        強制戻し部材、    
３ｄ        戻し傾斜面、
４          加工工具、
４ａ        弾性カバー、                        ４ｂ        リテーナ、
５          復帰手段、
２０        従来例のカム装置、
２１        移動金型、
２２        カムドライバ、
２３        カムスライダ、
２４        カムベース、                        ２４ａ      復帰手段、
２５        固定金型。  
【図１】
2009183990.tif 000003
【図２】
2009183990.tif 000004
【図３】
2009183990.tif 000005
【図４】
2009183990.tif 000006
【図５】
2009183990.tif 000007
【図６】
2009183990.tif 000008
【図７】
2009183990.tif 000009